(57)【要約】【課題】様々なリンクオプションを提供する広告提供システム及び方法を開示する。【解決手段】広告提供システムは１つの広告素材に関連する互いに異なるリンクオプションが少なくとも一部の領域に設定されて構成された複数の広告情報を広告素材ごとに管理する広告情報管理部、及び広告要求に応じて少なくとも１つの広告情報を提供する広告情報提供部を備える。ここで、提供された少なくとも１つの広告情報に設定されたリンクオプションがユーザによって選択される場合、選択されたリンクオプションによるサービスがユーザのモバイル端末に提供する。【選択図】図１
2013134774.tif 000002
【特許請求の範囲】
【請求項１】
１つの広告素材に関連する互いに異なるリンクオプションが少なくとも一部の表示領域に設定される複数の広告情報を広告素材ごとに管理する広告情報管理部と、
広告要求に応じて少なくとも１つの広告情報を提供する広告情報提供部と、
を備え、
前記提供された少なくとも１つの広告情報に設定されたリンクオプションがユーザによって選択される場合、前記選択されたリンクオプションによるサービスが前記ユーザのモバイル端末に提供され、
前記互いに異なるリンクオプションは、前記広告素材に関連する動画を提供するサービスのためのリンクオプション、前記広告素材に関連するランディングページを提供するサービスのためのリンクオプション、前記広告素材に関連する位置情報を提供する地図サービスのためのリンクオプション、前記広告素材に関連する電話番号への通話を提供するクリック・ツー・コールサービスのためのリンクオプション、前記広告素材に関連するアプリケーションを提供するサービスのためのリンクオプション及び前記広告素材に関連するソーシャルネットワークサービスのためのリンクオプションのうち少なくとも１つ以上を含むことを特徴とする広告提供システム。
【請求項２】
前記ユーザによって選択されたリンクオプションに基づいて前記ユーザの関心リンクオプションが設定され、
前記広告情報提供部は、前記ユーザに対して前記関心リンクオプションが設定された場合、前記関心リンクオプションに基づいて選択された広告情報を提供することを特徴とする請求項１に記載の広告提供システム。
【請求項３】
１つの広告素材に関連する互いに異なるリンクオプションが少なくとも一部の表示領域に設定されて構成された複数の広告情報のうち少なくとも１つの広告オプションを広告プラットフォームから受信する広告情報受信部と、
前記受信された広告情報をユーザのモバイル端末で提供する広告情報提供部と、
を備え、
前記提供された少なくとも１つの広告情報に設定されたリンクオプションが前記モバイル端末で前記ユーザによって選択される場合、前記選択されたリンクオプションによるサービスが前記モバイル端末に提供され、
前記互いに異なるリンクオプションは、前記広告素材に関連する動画を提供するサービスのためのリンクオプション、前記広告素材に関連するランディングページを提供するサービスのためのリンクオプション、前記広告素材に関連する位置情報を提供する地図サービスのためのリンクオプション、前記広告素材に関連する電話番号への通話を提供するクリック・ツー・コールサービスのためのリンクオプション、前記広告素材に関連するアプリケーションを提供するサービスのためのリンクオプション及び前記広告素材に関連するソーシャルネットワークサービスのためのリンクオプションのうち少なくとも１つ以上を含むことを特徴とする広告提供システム。
【請求項４】
ユーザによって選択されたリンクオプションに基づいて前記ユーザの関心リンクオプションを設定する関心リンクオプション設定部と、
前記ユーザの広告要求に応じて前記関心リンクオプションに対応する広告情報を前記広告プラットフォームに要求する広告情報要求部と、
をさらに備え、
前記広告情報提供部は、前記広告プラットフォームで前記関心リンクオプションに基づいて選択された広告情報を受信して提供することを特徴とする請求項３に記載の広告提供システム。
【請求項５】
１つの広告素材に関連する互いに異なるリンクオプションが少なくとも一部の表示領域に設定されて構成された複数の広告情報のうち受信された広告情報を画面に表示する広告情報表示部と、
前記表示された広告情報のリンクオプションがユーザによって選択される場合、前記リンクオプションによるサービスの提供を受けるため、前記リンクオプションを用いて前記サービスを提供するサーバに接続する接続部と、
を備え、
前記広告情報表示部は、前記リンクオプションによるサービスを介して提供されるコンテンツを前記画面に表示し、
前記互いに異なるリンクオプションは、前記広告素材に関連する動画を提供するサービスのためのリンクオプション、前記広告素材に関連するランディングページを提供するサービスのためのリンクオプション、前記広告素材に関連する位置情報を提供する地図サービスのためのリンクオプション、前記広告素材に関連する電話番号への通話を提供するクリック・ツー・コールサービスのためのリンクオプション、前記広告素材に関連するアプリケーションを提供するサービスのためのリンクオプション及び前記広告素材に関連するソーシャルネットワークサービスのためのリンクオプションのうち少なくとも１つ以上を含むことを特徴とする広告提供システム。
【請求項６】
前記ユーザによって選択されたリンクオプションに基づいて前記ユーザの関心リンクオプションが設定され、
前記受信された広告情報は、前記ユーザに対して前記関心リンクオプションが設定された場合、前記関心リンクオプションに基づいて前記複数の広告情報の中から選択されることを特徴とする請求項５に記載の広告提供システム。
【請求項７】
１つの広告素材に関連する互いに異なるリンクオプションが少なくとも一部の表示領域に設定されて構成される複数の広告情報を広告素材ごとに管理するステップと、
広告要求に応じて少なくとも１つの広告情報を提供するステップと、
を含み、
前記提供された少なくとも１つの広告情報に設定されたリンクオプションがユーザによって選択される場合、前記選択されたリンクオプションによるサービスが前記ユーザのモバイル端末に提供され、
前記互いに異なるリンクオプションは、前記広告素材に関連する動画を提供するサービスのためのリンクオプション、前記広告素材に関連するランディングページを提供するサービスのためのリンクオプション、前記広告素材に関連する位置情報を提供する地図サービスのためのリンクオプション、前記広告素材に関連する電話番号への通話を提供するクリック・ツー・コールサービスのためのリンクオプション、前記広告素材に関連するアプリケーションを提供するサービスのためのリンクオプション及び前記広告素材に関連するソーシャルネットワークサービスのためのリンクオプションのうち少なくとも１つ以上を含むことを特徴とする広告提供方法。
【請求項８】
前記ユーザによって選択されたリンクオプションに基づいて前記ユーザの関心リンクオプションが設定され、
前記広告情報を提供するステップは、前記ユーザに対して前記関心リンクオプションが設定された場合、前記関心リンクオプションに基づいて選択された広告情報を提供することを特徴とする請求項７に記載の広告提供方法。
【請求項９】
１つの広告素材に関連する互いに異なるリンクオプションが少なくとも一部の表示領域に設定される複数の広告情報のうち少なくとも１つの広告オプションを広告プラットフォームから受信するステップと、
前記受信された広告情報をユーザのモバイル端末に提供するステップと、
を含み、
前記提供された少なくとも１つの広告情報に設定されたリンクオプションが前記モバイル端末で前記ユーザによって選択される場合、前記選択されたリンクオプションによるサービスが前記モバイル端末に提供され、
前記互いに異なるリンクオプションは、前記広告素材に関連する動画を提供するサービスのためのリンクオプション、前記広告素材に関連するランディングページを提供するサービスのためのリンクオプション、前記広告素材に関連する位置情報を提供する地図サービスのためのリンクオプション、前記広告素材に関連する電話番号への通話を提供するクリック・ツー・コールサービスのためのリンクオプション、前記広告素材に関連するアプリケーションを提供するサービスのためのリンクオプション及び前記広告素材に関連するソーシャルネットワークサービスのためのリンクオプションのうち少なくとも１つ以上を含むことを特徴とする広告提供方法。
【請求項１０】
ユーザによって選択されたリンクオプションに基づいて前記ユーザの関心リンクオプションを設定するステップと、
前記ユーザの広告要求に応じて前記関心リンクオプションに対応する広告情報を前記広告プラットフォームに要求するステップと、
をさらに含み、
前記広告情報を提供するステップは、前記広告プラットフォームで前記関心リンクオプションに基づいて選択された広告情報を受信して提供することを特徴とする請求項９に記載の広告提供方法。
【請求項１１】
１つの広告素材に関連する互いに異なるリンクオプションが少なくとも一部の表示領域に設定される複数の広告情報のうち受信された広告情報を画面に表示するステップと、
前記表示された広告情報のリンクオプションがユーザによって選択される場合、前記リンクオプションによるサービスの提供を受けるため、前記リンクオプションを用いて前記サービスを提供するサーバに接続するステップと、
前記リンクオプションによるサービスを介して提供されるコンテンツを前記画面に表示するステップと、
を含み、
前記互いに異なるリンクオプションは、前記広告素材に関連する動画を提供するサービスのためのリンクオプション、前記広告素材に関連するランディングページを提供するサービスのためのリンクオプション、前記広告素材に関連する位置情報を提供する地図サービスのためのリンクオプション、前記広告素材に関連する電話番号への通話を提供するクリック・ツー・コールサービスのためのリンクオプション、前記広告素材に関連するアプリケーションを提供するサービスのためのリンクオプション及び前記広告素材に関連するソーシャルネットワークサービスのためのリンクオプションのうち少なくとも１つ以上を含むことを特徴とする広告提供方法。
【請求項１２】
前記ユーザによって選択されたリンクオプションに基づいて前記ユーザの関心リンクオプションが設定され、
前記受信された広告情報は、前記ユーザに対して前記関心リンクオプションが設定された場合、前記関心リンクオプションに基づいて前記複数の広告情報の中から選択されることを特徴とする請求項１１に記載の広告提供方法。
【請求項１３】
前記関心リンクオプションは、前記ユーザが最も多く選択した広告情報のリンクオプションに設定されることを特徴とする請求項８、１０、または１２のいずれか１項に記載の広告提供方法。
【請求項１４】
請求項７ないし請求項１３のいずれか１項の方法を行うプログラムを記録したコンピュータ読み出し可能な記録媒体。
【発明の詳細な説明】
【技術分野】
【０００１】
本発明の実施形態は様々なリンクオプションを提供する広告提供システム及び方法に関する。
【背景技術】
【０００２】
近年、有線媒体によって提供される広告だけではなく、ユーザ端末を介して広告を提供するモバイル広告市場が急速に成長している。モバイル広告とは、スマートフォン、タブレットＰＣのアプリケーションやモバイルウェブなどに挿入及び送信される広告として、携帯用機器を介して時間と場所が制約されることなくターゲット顧客を対象に音声、テキスト、動画などの様々な形態で広告内容を伝達するモバイルマーケティング手段を意味する。
【０００３】
従来技術では、このようなモバイル広告でユーザの関心を誘導するための様々な方法が用いられている。一例として、大韓民国公開特許第２０１１−００４６４３２号（発明の名称：モバイル機器バナー広告露出制御でクリック率の増大方法）には、ユーザがクリックしたバナー広告を一定の時間露出しないことによって、ユーザは一回のクリックによって広告なしでアプリケーションの使用を可能にし、ユーザが広告をクリックするよう誘導する技術が開示されている。
【０００４】
しかし、このような従来技術はユーザの興味を誘発して広告のクリックを誘導することなく、アプリケーションを使用しているユーザがクリックするように強制する要素が存在するため、ユーザが広告に関心を有するよう自発的に誘導するのではなく、ユーザにクリックを強制するという問題がある。
【発明の概要】
【発明が解決しようとする課題】
【０００５】
本明細書では、モバイル広告をより効率的に提供することのできるシステム及び方法が提供される。
【０００６】
本発明の目的は、動画、アップストアへのリンク、ウェブページへのリンク、ソーシャルネットワークサービスなどを提供するためのリンクオプションのように、１つの広告素材に関連する様々なリンクオプションの設定された広告情報を提供することのできる広告提供システム及び方法を提供する。
【０００７】
本発明の他の目的は、ユーザが個別クリックしたリンクオプションをトラッキングし、ユーザの関心度の高いリンクオプションを持続的に提供することによって、ユーザの関心を誘発することのできる広告提供システム及び方法を提供する。
【課題を解決するための手段】
【０００８】
１つの広告素材に関連する互いに異なるリンクオプションが少なくとも一部の表示領域に設定される複数の広告情報を広告素材ごとに管理する広告情報管理部と、広告要求に応じて少なくとも１つの広告情報を提供する広告情報提供部とを備え、提供された少なくとも１つの広告情報に設定されたリンクオプションがユーザによって選択される場合、選択されたリンクオプションによるサービスがユーザのモバイル端末に提供されることを特徴とする広告提供システムが提供される。
【０００９】
一実施形態によると、ユーザによって選択されたリンクオプションに基づいてユーザの関心リンクオプションが設定されてもよい。ここで、広告情報提供部は、ユーザに対して関心リンクオプションが設定された場合、関心リンクオプションに基づいて選択された広告情報を提供してもよい。
【００１０】
他の一実施形態によると、広告情報提供部は、関心リンクオプションと同一種類のリンクオプションが設定された広告情報を提供してもよい。
【００１１】
他の一実施形態によると、関心リンクオプションは、ユーザが最も多く選択した広告情報のリンクオプションに設定されてもよい。
【００１２】
他の一実施形態によると、互いに異なるリンクオプションは、広告素材に関連する動画を提供するサービスのためのリンクオプション、広告素材に関連するランディングページを提供するサービスのためのリンクオプション、広告素材に関連する位置情報を提供する地図サービスのためのリンクオプション、広告素材に関連する電話番号への通話を提供するクリック・ツー・コールサービスのためのリンクオプション、広告素材に関連するアプリケーションを提供するサービスのためのリンクオプション及び広告素材に関連するソーシャルネットワークサービスのためのリンクオプションのうち少なくとも１つ以上を含んでもよい。
【００１３】
１つの広告素材に関連する互いに異なるリンクオプションが少なくとも一部の表示領域に設定される複数の広告情報のうち少なくとも１つの広告オプションを広告プラットフォームから受信する広告情報受信部と、受信された広告情報をユーザのモバイル端末で提供する広告情報提供部とを備え、提供された少なくとも１つの広告情報に設定されたリンクオプションがモバイル端末でユーザによって選択される場合、選択されたリンクオプションによるサービスがモバイル端末に提供されることを特徴とする広告提供システムが提供される。
【００１４】
１つの広告素材に関連する互いに異なるリンクオプションが少なくとも一部の表示領域に設定される複数の広告情報のうち受信された広告情報を画面に表示する広告情報表示部と、表示された広告情報のリンクオプションがユーザによって選択される場合、リンクオプションによるサービスの提供を受けるため、リンクオプションを用いてサービスを提供するサーバに接続する接続部とを備え、広告情報表示部は、リンクオプションによるサービスを介して提供されるコンテンツを画面に表示することを特徴とする広告提供システムが提供される。
【００１５】
１つの広告素材に関連する互いに異なるリンクオプションが少なくとも一部の表示領域に設定される複数の広告情報を広告素材ごとに管理するステップと、広告要求に応じて少なくとも１つの広告情報を提供するステップと、を含み、提供された少なくとも１つの広告情報に設定されたリンクオプションがユーザによって選択される場合、選択されたリンクオプションによるサービスがユーザのモバイル端末に提供されことを特徴とする広告提供方法が提供される。
【００１６】
１つの広告素材に関連する互いに異なるリンクオプションが少なくとも一部の表示領域に設定される複数の広告情報のうち受信された広告情報を画面に表示するステップと、表示された広告情報のリンクオプションがユーザによって選択される場合、リンクオプションによるサービスの提供を受けるため、リンクオプションを用いてサービスを提供するサーバに接続するステップと、リンクオプションによるサービスを介して提供されるコンテンツを画面に表示するステップとを含む広告提供方法が提供される。
【発明の効果】
【００１７】
本発明によると、動画、アップストアへのリンク、ウェブページへのリンク、ソーシャルネットワークサービスなどを提供するためのリンクオプションのように１つの広告素材に関連する様々なリンクオプションの設定された広告情報を提供することができる。
【００１８】
本発明によると、ユーザが個別クリックしたリンクオプションをトラッキングし、ユーザの関心度の高いリンクオプションを持続的に提供することによって、ユーザの関心と興味を誘発することができる。
【図面の簡単な説明】
【００１９】
【図１】本発明の一実施形態に係るリンクオプションが設定された広告情報の一例を示す図である。
【図２】本発明の一実施形態に係るリンクオプションの選択に応じて提供される様々なサービスの例を示す図である。
【図３】本発明の一実施形態に係る広告主、広告プラットフォーム、パブリッシャ及びユーザ間の関係を概括的に示す図である。
【図４】本発明の一実施形態に係る広告提供システムの内部構成を説明するためのブロック図である。
【図５】本発明の一実施形態に係る広告提供方法を示すフローチャートである。
【図６】本発明の第２実施形態に係る広告提供システムの内部構成を説明するためのブロック図である。
【図７】本発明の第２実施形態に係る広告提供方法を示すフローチャートである。
【図８】本発明の第３実施形態に係る広告提供システムの内部構成を説明するためのブロック図である。
【図９】本発明の第３実施形態に係る広告提供方法を示すフローチャートである。
【発明を実施するための形態】
【００２０】
以下、本発明の実施形態を添付する図面を参照しながら詳細に説明する。
【００２１】
［第１実施形態］
図１は、本発明の一実施形態に係るリンクオプションが設定された広告情報の一例を示す図である。図１において、左側はモバイル端末１１０の画面にディスプレイ広告の形態に構成された第１広告情報１２０が表示された状態を示している。ここで、点線ボックスに表示された第１広告情報１２０内の少なくとも一部の表示領域１３０にはリンクオプションが設定されてもよい。図１における右側は、モバイル端末１１０の画面に動画広告の形態に構成された第２広告情報１４０が表示された形状を示している。すなわち、図１は、リンクオプションが設定された少なくとも一部の領域１３０をユーザがタッチして選択することによって、第２広告情報１４０が提供される過程を示している。ここで、少なくとも一部の領域１３０には、リンクオプションに応じて予め設定されたアイコンイメージが表示されてもよい。
【００２２】
ここで、少なくとも一部の領域１３０には互いに異なるリンクオプションのうちの１つが設定されてもよい。例えば、互いに異なるリンクオプションは、１つの広告素材に関連する動画を提供するサービスのためのリンクオプション、１つの広告素材に関連するランディングページを提供するサービスのためのリンクオプション、１つの広告素材に関連する位置情報を提供する地図サービスのためのリンクオプション、１つの広告素材に関連する電話番号への通話を提供するクリック・ツー・コール（ｃｌｉｃｋ  ｔｏ  ｃａｌｌ）サービスのためのリンクオプション、１つの広告素材に関連するアプリケーションを提供するサービスのためのリンクオプション及び１つの広告素材に関連するソーシャルネットワークサービスのためのリンクオプションのうち２以上を含んでもよい。
【００２３】
図２は、本発明の一実施形態に係るリンクオプションの選択に応じて提供される様々なサービスの例を示す図である。図２は、リンクオプションによって提供されるサービスを示した一例である。ここで、「動画提供サービス」は広告情報に設定されたリンクオプションによって動画が提供される画面の一例を、「クリック・ツー・コールサービス」は広告素材に関連する電話番号への通話接続が提供される画面の一例を、「地図サービス」は広告素材に関連する位置情報が提供される画面の一例をそれぞれ示している。また、「ウェブサイト」は、広告主のランディングページが提供される画面の一例を、「アップストア」は広告主に関連するアプリケーションをダウンロードされるページが提供される画面の一例を、「ＳＮＳ」は広告主に関連するソーシャルネットワークサービスページが提供される画面の一例をそれぞれ示している。
【００２４】
すなわち、本発明の実施形態では、ユーザに様々なリンクオプションを提供することによってユーザに様々な形態の情報やサービスを提供することができる。ここで、様々な形態の情報やサービスはスマートフォンのようなモバイル端末の基本機能を活用して提供されてもよい。また、ユーザに露出されているものの、ユーザによって選択されていないリンクオプションは再びユーザに提供されなくてもよく、代わりに他のリンクオプションがユーザに提供されてもよい。この場合、ユーザごとにユーザが選択したリンクオプションをトラッキングすることによって、ユーザの関心度の高いリンクオプションを関心リンクオプションとして設定し、ユーザに広告情報を提供するときに、関心リンクオプションの設定された広告情報が提供されるようにすることでユーザの関心と興味を誘導することができる。例えば、ユーザに提供された互いに異なるリンクオプションのうちユーザが動画を提供するためのリンクオプションを最も多く選択した場合、動画を提供するためのリンクオプションをユーザの関心リンクオプションを設定してもよい。その後、ユーザに広告情報を提供するときは動画を提供するためのリンクオプションが設定された広告情報を提供することによって、ユーザの関心度を反映した広告情報を提供することができる。
【００２５】
図３は、本発明の一実施形態に係る広告主、広告プラットフォーム、パブリッシャ及びユーザ間の関係を概括的に示す図である。すなわち、図３は、広告主３１０、広告プラットフォーム３２０、パブリッシャ３３０及びユーザ３４０を示している。ここで、広告主３１０は、実質的に広告主３１０が用いるＰＣ（Ｐｅｒｓｏｎａｌ  Ｃｏｍｐｕｔｅｒ）、スマートフォンなどの端末を意味してもよく、ユーザ３４０は、実質的にユーザ３４０が用いるモバイル端末を意味してもよい。すなわち、図１に示す矢印は広告主３１０が用いる端末、広告プラットフォーム３２０、パブリッシャ３３０及びユーザ３４０が用いるモバイル端末間に有線または無線ネットワークを用いてデータが送受信される可能性があることを意味する。
【００２６】
広告プラットフォーム３２０は、広告主３１０の広告に対する入札、広告とキーワードとの間のマッチング、広告や広告主の整列、パブリッシャ３３０への広告提供及び広告の露出による課金などを行なってもよい。広告プラットフォーム３２０の一般的な技術的な事項に関して、インターネットを介して送信される検索広告、バナー広告などのプラットフォームに対して従来技術を参照して理解され得る事項はその説明を省略する。
【００２７】
パブリッシャ３３０は、ユーザ３４０に自身のサイトやアプリケーションを提供してもよく、広告プラットフォーム３２０から受信された広告情報をサイトやアプリケーションによってユーザ３４０に提供してもよい。
【００２８】
ここで、広告プラットフォーム３２０が含む複数の個別広告プラットフォーム（第１広告プラットフォーム、第２広告プラットフォーム、．．．）のそれぞれは、パブリッシャ３３０が含む複数の個別パブリッシャ（第１パブリッシャ、第２パブリッシャ、．．．）のうち少なくとも１つの個別パブリッシャによって広告情報を露出してもよい。逆に、パブリッシャ３３０が含む複数の個別パブリッシャ（第１パブリッシャ、第２パブリッシャ、．．．）のそれぞれは広告プラットフォーム３２０が含む複数の個別広告プラットフォーム（第１広告プラットフォーム、第２広告プラットフォーム、．．．）のうち少なくとも１つの個別広告プラットフォームを介して広告情報を受信してユーザ３４０に提供してもよい。
【００２９】
ここで、本発明の第１実施形態に係る広告提供システムは、個別広告プラットフォームに関連するシステムのうち１つのシステムであるか、または、個別広告プラットフォームに関連するシステムのうち１つのシステムに含まれたシステムであってもよい。
【００３０】
また、前記広告プラットフォーム３２０は、データベース、サーバ、または広告コンテンツが格納されうる任意の機器もしくはシステムであってもよい。例えば、複数の個別広告プラットフォーム（第１広告プラットフォーム、第２広告プラットフォーム、．．．）のそれぞれはサーバで構成され、前記広告プラットフォーム３２０は、前記複数の個別広告プラットフォームを構成するそれぞれのサーバを有線若しくは無線のネットワークで接続してなるシステムとして構成しても良い。
【００３１】
また、本発明の他の実施形態に係る広告提供システムは、個別パブリッシャに関連するシステムのうち１つのシステムであるか、または、個別パブリッシャに関連するシステムのうち１つのシステムに含まれたシステムであってもよい。
【００３２】
また、パブリッシャ３３０は、データベース、サーバ、または広告コンテンツが格納されうる任意の機器もしくはシステムであってもよい。例えば、前記パブリッシャ３３０が含む複数の個別パブリッシャ（第１パブリッシャ、第２パブリッシャ、．．．）のそれぞれはサーバで構成され、前記パブリッシャは、前記複数の個別パブリッシャを構成するそれぞれのサーバを有線若しくは無線のネットワークで接続してなるシステムとして構成しても良い。
【００３３】
また、本発明の他の実施形態に係る広告提供システムは、ユーザのモバイル端末に対応してもよい。すなわち、前記他の実施形態に係る広告提供システムを用いて、モバイル端末を構成しても良い。
【００３４】
図４は、本発明の一実施形態に係る広告提供システムの内部構成を説明するためのブロック図である。本実施形態に係る広告提供システム４００はすでに説明したように、個別広告プラットフォームに関連するシステムのうち１つのシステムであるか、または、個別広告プラットフォームに関連するシステムのうち１つのシステムに含まれたシステムであってもよい。このような広告提供システム４００は、図４に示すように、広告情報管理部４１０及び広告情報提供部４２０を備える。
【００３５】
広告情報管理部４１０は、１つの広告素材に関連する互いに異なるリンクオプションが少なくとも一部の領域に設定されて構成された複数の広告情報を広告素材ごとに管理する。例えば、互いに異なるリンクオプションは、広告素材に関連する動画を提供するサービスのためのリンクオプション、広告素材に関連するランディングページを提供するサービスのためのリンクオプション、広告素材に関連する位置情報を提供する地図サービスのためのリンクオプション、広告素材に関連する電話番号への通話を提供するクリック・ツー・コール（ｃｌｉｃｋ  ｔｏ  ｃａｌｌ）サービスのためのリンクオプション、広告素材に関連するアプリケーションを提供するサービスのためのリンクオプション及び広告素材に関連するソーシャルネットワークサービスのためのリンクオプションのうち２以上を含んでもよい。
【００３６】
広告情報提供部４２０は、広告要求に応じて少なくとも１つの広告情報を提供する。ここで、提供された少なくとも１つの広告情報に設定されたリンクオプションがユーザによって選択される場合、選択されたリンクオプションによるサービスがユーザのモバイル端末に提供されてもよい。ここで、リンクオプションによるサービスは、広告素材に関連する動画を提供するサービス、広告素材に関連するランディングページを提供するサービス、広告素材に関連する位置情報を提供する地図サービス、広告素材に関連する電話番号への通話を提供するクリック・ツー・コールサービス、広告素材に関連するアプリケーションを提供するサービス及び広告素材に関連するソーシャルネットワークサービスのうち少なくとも１つを含んでもよい。
【００３７】
また、本実施形態に係る広告提供システム４００は、広告情報管理部４１０及び広告情報提供部４２０を備えるサーバ等の任意の機器もしくはシステムであってもよい。例えば、前記広告情報管理部４１０及び前記広告情報提供部４２０のそれぞれはサーバで構成され、前記広告提供システム４００は、前記サーバを有線若しくは無線のネットワークで接続してなるシステムとして構成しても良い。
【００３８】
また、ユーザによって選択されたリンクオプションに基づいてユーザの関心リンクオプションが設定されてもよい。例えば、関心リンクオプションは、ユーザが最も多く選択した広告情報のリンクオプションに設定されてもよい。この場合、広告情報提供部４２０は、ユーザに対して関心リンクオプションが設定された場合、関心リンクオプションに基づいて選択された広告情報を提供してもよい。一例として、広告情報提供部４２０は、関心リンクオプションと同一種類のリンクオプションが設定されて構成された広告情報を提供してもよい。
【００３９】
広告要求は、図３を参照して説明した個別パブリッシャによって広告提供システム４００に送信されてもよく、モバイル端末によって直接広告提供システム４００に送信されてもよい。また、広告情報は直接ユーザのモバイル端末に送信されてもよく、図３を参照して説明した個別パブリッシャによってモバイル端末に送信されてもよい。
【００４０】
図５は、第２実施形態に係る広告提供方法を示すフローチャートである。本実施形態に係る広告提供方法は、図４を参照して説明した広告提供システム４００によって行われる。
【００４１】
ステップＳ５１０において、広告提供システム４００は、１つの広告素材に関連する互いに異なるリンクオプションが少なくとも一部の領域に設定されて構成された複数の広告情報を広告素材ごとに管理する。例えば、互いに異なるリンクオプションは、広告素材に関連する動画を提供するサービスのためのリンクオプション、広告素材に関連するランディングページを提供するサービスのためのリンクオプション、広告素材に関連する位置情報を提供する地図サービスのためのリンクオプション、広告素材に関連する電話番号への通話を提供するクリック・ツー・コールサービスのためのリンクオプション、広告素材に関連するアプリケーションを提供するサービスのためのリンクオプション及び広告素材に関連するソーシャルネットワークサービスのためのリンクオプションのうち２以上を含んでもよい。
【００４２】
ステップＳ５２０において、広告提供システム４００は、広告要求に応じて少なくとも１つの広告情報を提供する。ここで、提供された少なくとも１つの広告情報に設定されたリンクオプションがユーザによって選択される場合、選択されたリンクオプションによるサービスがユーザのモバイル端末に提供されてもよい。ここで、リンクオプションによるサービスは、広告素材に関連する動画を提供するサービス、広告素材に関連するランディングページを提供するサービス、広告素材に関連する位置情報を提供する地図サービス、広告素材に関連する電話番号への通話を提供するクリック・ツー・コールサービス、広告素材に関連するアプリケーションを提供するサービス及び広告素材に関連するソーシャルネットワークサービスのうち少なくとも１つを含んでもよい。
【００４３】
また、ユーザによって選択されたリンクオプションに基づいてユーザの関心リンクオプションが設定されてもよい。例えば、関心リンクオプションは、ユーザが最も多く選択した広告情報のリンクオプションに設定されてもよい。この場合、広告提供システム４００は、ユーザに対して関心リンクオプションが設定された場合、関心リンクオプションに基づいて選択された広告情報を提供してもよい。一例として、広告提供システム４００は、関心リンクオプションと同一の種類のリンクオプションが設定されて構成された広告情報を提供してもよい。
【００４４】
広告要求は、図３を参照して説明した個別パブリッシャによって広告提供システム４００に送信されてもよく、モバイル端末によって直接広告提供システム４００に送信されてもよい。また、広告情報は、直接ユーザのモバイル端末に送信されてもよく、図３を参照して説明した個別パブリッシャによってモバイル端末に送信されてもよい。
【００４５】
［第２実施形態］
図６は、第２実施形態に係る広告提供システムの内部構成を説明するためのブロック図である。本実施形態に係る広告提供システム６００は、個別パブリッシャに関連するシステムのうち１つのシステムであるか、または、個別パブリッシャに関連するシステムのうち１つのシステムに含まれたシステムであってもよい。このような広告提供システム６００は、図６に示すように、広告情報受信部６１０及び広告情報提供部６２０を備える。
【００４６】
広告情報受信部６１０は、１つの広告素材に関連する互いに異なるリンクオプションが少なくとも一部の領域に設定されて構成された複数の広告情報のうち少なくとも１つの広告オプションを広告プラットフォーム３２０から受信する。例えば、互いに異なるリンクオプションは、広告素材に関連する動画を提供するサービスのためのリンクオプション、広告素材に関連するランディングページを提供するサービスのためのリンクオプション、広告素材に関連する位置情報を提供する地図サービスのためのリンクオプション、広告素材に関連する電話番号への通話を提供するクリック・ツー・コールサービスのためのリンクオプション、広告素材に関連するアプリケーションを提供するサービスのためのリンクオプション及び広告素材に関連するソーシャルネットワークサービスのためのリンクオプションのうち２以上を含んでもよい。
【００４７】
広告情報提供部６２０は、受信された広告情報をユーザのモバイル端末に提供する。ここで、提供された少なくとも１つの広告情報に設定されたリンクオプションがモバイル端末でユーザによって選択される場合、選択されたリンクオプションによるサービスがモバイル端末に提供されてもよい。ここで、リンクオプションによるサービスは、広告素材に関連する動画を提供するサービス、広告素材に関連するランディングページを提供するサービス、広告素材に関連する位置情報を提供する地図サービス、広告素材に関連する電話番号への通話を提供するクリック・ツー・コールサービス、広告素材に関連するアプリケーションを提供するサービス及び広告素材に関連するソーシャルネットワークサービスのうち少なくとも１つを含んでもよい。
【００４８】
また、広告提供システム６００は、必要に応じてユーザによって選択されたリンクオプションに基づいてユーザの関心リンクオプションを設定する関心リンクオプション設定部、及びユーザの広告要求に応じて関心リンクオプションに対応する広告情報を広告プラットフォームで要求する広告情報要求部をさらに備えてもよい。ここで、関心リンクオプションは、一例として、ユーザが最も多く選択した広告情報のリンクオプションに設定されてもよい。
【００４９】
この場合、広告情報提供部６２０は、広告プラットフォーム３２０で関心リンクオプションに基づいて選択された広告情報を受信して提供してもよい。例えば、ユーザの関心リンクオプションが地図サービスを提供するためのリンクオプションである場合、地図サービスを提供するためのリンクオプションが設定された広告情報が広告プラットフォームから送信されてもよく、広告情報提供部６２０は広告プラットフォームから送信された広告情報をモバイル端末に提供してもよい。
【００５０】
また、第２実施形態に係る広告提供システム６００は、広告情報受信部６１０及び広告情報提供部６２０を備えるサーバ等の任意の機器もしくはシステムであってもよい。例えば、前記広告情報受信部６１０及び前記広告情報提供部６２０のそれぞれはサーバで構成され、前記広告提供システム６００は、前記サーバを有線若しくは無線のネットワークで接続してなるシステムとして構成しても良い。
【００５１】
図７は、第２実施形態に係る広告提供方法を示すフローチャートである。本実施形態に係る広告提供方法は、図６を参照して説明した広告提供システム６００によって行われてもよい。ここで、ステップＳ７１０及びステップＳ７２０は、必要に応じて選択的に本実施形態に係る広告提供方法に含まれてもよい。
【００５２】
ステップＳ７３０において、第２実施形態に係る広告提供システム６００は、１つの広告素材に関連する互いに異なるリンクオプションが少なくとも一部の領域に設定されて構成された複数の広告情報のうち少なくとも１つの広告オプションを広告プラットフォームから受信する。例えば、互いに異なるリンクオプションは、広告素材に関連する動画を提供するサービスのためのリンクオプション、広告素材に関連するランディングページを提供するサービスのためのリンクオプション、広告素材に関連する位置情報を提供する地図サービスのためのリンクオプション、広告素材に関連する電話番号への通話を提供するクリック・ツー・コールサービスのためのリンクオプション、広告素材に関連するアプリケーションを提供するサービスのためのリンクオプション及び広告素材に関連するソーシャルネットワークサービスのためのリンクオプションのうち２以上を含んでもよい。
【００５３】
ステップＳ７４０において、前記広告提供システム６００は、受信された広告情報をユーザのモバイル端末に提供する。ここで、提供された少なくとも１つの広告情報に設定されたリンクオプションがモバイル端末でユーザによって選択される場合、選択されたリンクオプションによるサービスがモバイル端末に提供されてもよい。ここで、リンクオプションによるサービスは、広告素材に関連する動画を提供するサービス、広告素材に関連するランディングページを提供するサービス、広告素材に関連する位置情報を提供する地図サービス、広告素材に関連する電話番号への通話を提供するクリック・ツー・コールサービス、広告素材に関連するアプリケーションを提供するサービス及び広告素材に関連するソーシャルネットワークサービスのうち少なくとも１つを含んでもよい。
【００５４】
また、前記広告提供システム６００は、ステップＳ７３０を行う前に、ユーザによって選択されたリンクオプションに基づいてユーザの関心リンクオプションを設定するステップＳ７１０、及びユーザの広告要求に応じて関心リンクオプションに対応する広告情報を広告プラットフォームに要求するステップＳ７２０を選択的に行なってもよい。ここで、関心リンクオプションは、一例として、ユーザが最も多く選択した広告情報のリンクオプションに設定されてもよい。
【００５５】
この場合、前記広告提供システム６００は、ステップＳ７３０において、広告プラットフォームで関心リンクオプションに基づいて選択された広告情報を受信してもよく、ステップＳ７４０において、関心リンクオプションに基づいて選択された広告情報をモバイル端末に提供してもよい。例えば、ユーザの関心リンクオプションが地図サービスを提供するためのリンクオプションに設定される場合、前記広告提供システム６００は、ステップＳ７３０によって地図サービスを提供するためのリンクオプションが設定された広告情報を広告プラットフォームから受信してもよく、ステップＳ７４０は、広告プラットフォームから受信した広告情報をモバイル端末に提供してもよい。
【００５６】
［第３実施形態］
図８は、本発明の第３実施形態に係る広告提供システムの内部構成を説明するためのブロック図である。本実施形態に係る広告提供システム８００は、ユーザのモバイル端末に対応してもよい。すなわち、本実施形態に係る広告提供システム８００を、ユーザのモバイル端末内部のデバイスを構成しても良い。このような広告提供システム８００は、図８に示すように広告情報表示部８１０及び接続部８２０を備える。
【００５７】
広告情報表示部８１０は、１つの広告素材に関連する互いに異なるリンクオプションが少なくとも一部の領域に設定されて構成された複数の広告情報のうち受信された広告情報を画面に表示する。ここで、互いに異なるリンクオプションは、広告素材に関連する動画を提供するサービスのためのリンクオプション、広告素材に関連するランディングページを提供するサービスのためのリンクオプション、広告素材に関連する位置情報を提供する地図サービスのためのリンクオプション、広告素材に関連する電話番号への通話を提供するクリック・ツー・コールサービスのためのリンクオプション、広告素材に関連するアプリケーションを提供するサービスのためのリンクオプション及び広告素材に関連するソーシャルネットワークサービスのためのリンクオプションのうち２以上を含んでもよい。
【００５８】
ここで、ユーザによって選択されたリンクオプションに基づいてユーザの関心リンクオプションが設定されてもよい。例えば、関心リンクオプションは、一例として、ユーザが最も多く選択した広告情報のリンクオプションに設定されてもよい。この場合、受信された広告情報は、ユーザに対して関心リンクオプションが設定された場合、関心リンクオプションに基づいて複数の広告情報から選択されてもよい。すなわち、ユーザの関心リンクオプションが設定されている場合、広告提供システム８００に送信される広告情報は、関心リンクオプションが少なくとも一部の領域に設定された広告情報であってもよい。例えば、クリック・ツー・コールサービスのためのリンクオプションがユーザの関心リンクオプションに設定されている場合、広告提供システム８００は、図３を参照して説明した個別パブリッシャからクリック・ツー・コールサービスのためのリンクオプションが設定された広告情報を受信してもよい。
【００５９】
接続部８２０は、表示された広告情報のリンクオプションがユーザによって選択される場合、リンクオプションによるサービスの提供を受けるため、リンクオプションを用いてサービスを提供するサーバに接続する。ここで、リンクオプションによるサービスは、広告素材に関連する動画を提供するサービス、広告素材に関連するランディングページを提供するサービス、広告素材に関連する位置情報を提供する地図サービス、広告素材に関連する電話番号への通話を提供するクリック・ツー・コールサービス、広告素材に関連するアプリケーションを提供するサービス及び広告素材に関連するソーシャルネットワークサービスのうち少なくとも１つを含んでもよい。
【００６０】
この場合、広告情報表示部８１０は、リンクオプションによるサービスによって提供されるコンテンツを画面に表示されてもよい。
【００６１】
図９は、第３実施形態に係る広告提供方法を示すフローチャートである。本実施形態に係る広告提供方法は図８を参照して説明した広告提供システム８００によって行われる。
【００６２】
ステップＳ９１０において、広告提供システム８００は、１つの広告素材に関連する互いに異なるリンクオプションが少なくとも一部の領域に設定されて構成された複数の広告情報のうち受信された広告情報を画面に表示する。ここで、互いに異なるリンクオプションは、広告素材に関連する動画を提供するサービスのためのリンクオプション、広告素材に関連するランディングページを提供するサービスのためのリンクオプション、広告素材に関連する位置情報を提供する地図サービスのためのリンクオプション、広告素材に関連する電話番号への通話を提供するクリック・ツー・コールサービスのためのリンクオプション、広告素材に関連するアプリケーションを提供するサービスのためのリンクオプション及び広告素材に関連するソーシャルネットワークサービスのためのリンクオプションのうち２以上を含んでもよい。
【００６３】
ここで、ユーザによって選択されたリンクオプションに基づいてユーザの関心リンクオプションが設定されてもよい。例えば、関心リンクオプションは一例として、ユーザが最も多く選択した広告情報のリンクオプションに設定されてもよい。この場合、受信された広告情報は、ユーザに対して関心リンクオプションが設定された場合、関心リンクオプションに基づいて複数の広告情報の中から選択されてもよい。すなわち、ユーザの関心リンクオプションが設定されている場合、広告提供システム８００に送信される広告情報は、関心リンクオプションが少なくとも一部の領域に設定された広告情報であってもよい。例えば、クリック・ツー・コールサービスのためのリンクオプションがユーザの関心リンクオプションに設定されている場合、広告提供システム８００は、図３を参照して説明した個別パブリッシャからクリック・ツー・コールサービスのためのリンクオプションが設定された広告情報を受信してもよい。
【００６４】
ステップＳ９２０において、広告提供システム８００は表示された広告情報のリンクオプションがユーザによって選択される場合、リンクオプションによるサービスの提供を受けるため、リンクオプションを用いてサービスを提供するサーバに接続される。ここで、リンクオプションによるサービスは、広告素材に関連する動画を提供するサービス、広告素材に関連するランディングページを提供するサービス、広告素材に関連する位置情報を提供する地図サービス、広告素材に関連する電話番号への通話を提供するクリック・ツー・コールサービス、広告素材に関連するアプリケーションを提供するサービス及び広告素材に関連するソーシャルネットワークサービスのうち少なくとも１つを含んでもよい。
【００６５】
ステップＳ９３０において、広告提供システム８００は、リンクオプションによるサービスを介して提供されるコンテンツを画面に表示してもよい。
【００６６】
このように、本発明の実施形態によれば、動画、アップストアへのリンク、ウェブページへのリンク、ソーシャルネットワークサービスなどを提供するためのリンクオプションのように１つの広告素材に関連する様々なリンクオプションが設定された広告情報を提供してもよく、ユーザが個別クリックしたリンクオプションをトラッキングし、ユーザの関心度の高いリンクオプションを持続的に提供することでユーザの関心と興味を誘発することができる。
【００６７】
本発明の実施形態に係る方法は、多様なコンピュータ手段によって実行されることができるプログラム命令形態で実現され、コンピュータで読み取り可能な媒体に記録されることができる。コンピュータで読み取り可能な媒体は、プログラム命令、データファイル、データ構造などを単独または組み合わせて含むことができる。媒体に記録されるプログラム命令は、本発明のために特別に設計されて構成されたものであってもよく、コンピュータソフトウェア当業者に公示されて使用可能なものであってもよい。
【００６８】
上述したように、本発明は限定された実施形態と図面によって説明されたが、本発明が上述した実施形態に限定されるものではなく、本発明が属する分野において通常の知識を有する者であれば、このような記載から多様な修正および変形が可能である。
【００６９】
したがって、本発明の範囲は上述した実施形態に限定されて定められてはならず、添付の特許請求の範囲だけではなく、この特許請求の範囲と均等なものによって定められなければならない。
【符号の説明】
【００７０】
４００      広告提供システム
４１０      広告情報管理部
４２０      広告情報提供部
【図１】
2013134774.tif 000003
【図２】
2013134774.tif 000004
【図３】
2013134774.tif 000005
【図４】
2013134774.tif 000006
【図５】
2013134774.tif 000007
【図６】
2013134774.tif 000008
【図７】
2013134774.tif 000009
【図８】
2013134774.tif 000010
【図９】
2013134774.tif 000011